(57)【特許請求の範囲】
【請求項１】
口部を有する容器本体と、この容器本体の前記口部に装着されるキャップとから成る容器であって、前記キャップは、前記口部に着脱自在に被嵌装着されるものであり、筒状の側壁部の内側に、内部に粉末状，液状若しくは固形状の物を収納する筒状の収納部が設けられ、前記側壁部の内周に前記口部に螺着するための螺旋凸条が設けられた有天筒状のキャップ本体と、前記キャップ本体内にスライド移動自在に配設され且つ前記口部に着脱自在に装着される内体とで構成され、前記内体には前記収納部の下端開口部を閉塞する閉塞部が設けられ、前記内体に対して前記キャップ本体をスライド移動させた際、前記閉塞部により閉塞されている前記下端開口部が開放される構成であり、また、前記内体には、前記口部に形成された被係止部と係止する係止部が設けられ、前記口部に装着された前記キャップ本体を外し方向へ螺動させた際、前記係止部及び前記被係止部の係止作用により、前記キャップ本体とともに前記内体が移動することが阻止され、前記キャップ本体のみが前記口部に対して移動し、前記閉塞部による前記下端開口部の閉塞が解除されるように構成され、前記キャップ本体を外し方向へ更に螺動させた場合、最終位の前記螺旋凸条が前記係止部を当接押圧し、前記係止部及び前記被係止部の係止作用が解除され前記キャップ本体及び前記内体が前記口部から離脱するように構成されていることを特徴とする容器。
【請求項２】
請求項１記載の容器において、前記閉塞部により閉塞されている前記下端開口部が開放された際、前記収納部内に収納されている粉末状，液状若しくは固形状の物は前記容器本体内に落下するように構成されていることを特徴とする容器。
【請求項３】
請求項１，２いずれか１項に記載の容器において、前記容器本体，前記キャップ本体及び前記内体は合成樹脂製であることを特徴とする容器。
【請求項４】
請求項１〜３いずれか１項に記載の容器において、前記内体は胴部と該胴部上縁に設けられた前記係止部とで構成され、前記胴部は、前記口部内に嵌挿され、前記係止部は前記口部の開口上縁に被嵌装着されることを特徴とする容器。
【発明の詳細な説明】
【技術分野】
【０００１】
本発明は、例えば飲料を詰入する容器に関するものである。
【背景技術】
【０００２】
例えばお茶やジュースなどの清涼飲料水は、予め工場で製造したものをペットボトルに詰入して販売するのが一般的であるが、特にお茶（緑茶）は作りたてを飲みたいという要求もあることから、水の入ったペットボトルにスティック状の袋に収納したお茶の粉末を別途用意し、飲む直前に自分で水に粉末を混ぜてお茶を作るようにした商品が提案されている。
【０００３】
しかしながら、前述した商品は、実際に自分で飲料を作る場合、ペットボトルのキャップを開けるとともに袋を破ってお茶の粉末をボトル内に入れ、再びキャップを閉めてボトルを振って混ぜる作業になるが、この作業は非常に面倒であり、その他にもお茶の粉末が入った袋もゴミになってしまうなどのイメージからあまり普及していない。
【０００４】
そこで、従来においても前述した商品の問題点を解消すべく、例えば特表２００８−５０５０２５号に開示されるような容器（以下、従来例）が提案されている。
【０００５】
この従来例は、キャップが、ボトルの口部に螺着されるキャップ本体と、キャップ本体内にスライド移動自在に配設され且つ口部に装着される内体とで構成され、キャップ本体の内部には粉末状若しくは液状の物を収納する収納部が設けられ、また、内体には収納部の下端の開口部を閉塞する閉塞部が設けられ、内体に対してキャップ本体をスライド移動させた際、閉塞部により閉塞されている開口部が開放される構成である。
【０００６】
従って、キャップ本体を途中位置まで外し方向へ螺動させると、内体は口部に残された状態のままキャップ本体が外れ方向に上昇移動し（内体に対してキャップ本体がスライド移動した状態となり）、閉塞部により閉塞されている開口部が開放され、よって、この開口部から粉末状若しくは液状の物がボトル内の水に落下し、この状態でボトルを振って混ぜて飲料を作ることができる。つまり、キャップを開ける一連の作業の中で粉末状若しくは液状の物をボトル内に落下させることができ、簡単な操作でおいしい飲料を作ることができる。
【先行技術文献】
【特許文献】
【０００７】
【特許文献１】特表２００８−５０５０２５号公報
【発明の概要】
【発明が解決しようとする課題】
【０００８】
本発明者は、前述したキャップの内部に粉末状，液状若しくは固形状の物を収納するタイプの容器に着目し、更なる研究開発を進めた結果、極めて商品価値の高い画期的な容器を開発した。
【課題を解決するための手段】
【０００９】
添付図面を参照して本発明の要旨を説明する。
【００１０】
口部１を有する容器本体２と、この容器本体２の前記口部１に装着されるキャップ３とから成る容器であって、前記キャップ３は、前記口部１に着脱自在に被嵌装着されるものであり、筒状の側壁部４ｂの内側に、内部に粉末状，液状若しくは固形状の物Ｘを収納する筒状の収納部６が設けられ、前記側壁部４ｂの内周に前記口部１に螺着するための螺旋凸条４ｃが設けられた有天筒状のキャップ本体４と、前記キャップ本体４内にスライド移動自在に配設され且つ前記口部１に着脱自在に装着される内体５とで構成され、前記内体５には前記収納部６の下端開口部６ａを閉塞する閉塞部７が設けられ、前記内体５に対して前記キャップ本体４をスライド移動させた際、前記閉塞部７により閉塞されている前記下端開口部６ａが開放される構成であり、また、前記内体５には、前記口部１に形成された被係止部９と係止する係止部８が設けられ、前記口部１に装着された前記キャップ本体４を外し方向へ螺動させた際、前記係止部８及び前記被係止部９の係止作用により、前記キャップ本体４とともに前記内体５が移動することが阻止され、前記キャップ本体４のみが前記口部１に対して移動し、前記閉塞部７による前記下端開口部６ａの閉塞が解除されるように構成され、前記キャップ本体４を外し方向へ更に螺動させた場合、最終位の前記螺旋凸条４ｃが前記係止部８を当接押圧し、前記係止部８及び前記被係止部９の係止作用が解除され前記キャップ本体４及び前記内体５が前記口部１から離脱するように構成されていることを特徴とする容器に係るものである。
【００１１】
また、請求項１記載の容器において、前記閉塞部７により閉塞されている前記下端開口部６ａが開放された際、前記収納部６内に収納されている粉末状，液状若しくは固形状の物Ｘは前記容器本体２内に落下するように構成されていることを特徴とする容器に係るものである。
【００１２】
また、請求項１，２いずれか１項に記載の容器において、前記容器本体２，前記キャップ本体４及び前記内体５は合成樹脂製であることを特徴とする容器に係るものである。
【００１３】
また、請求項１〜３いずれか１項に記載の容器において、前記内体５は胴部５Ａと該胴部５Ａ上縁に設けられた前記係止部８とで構成され、前記胴部５Ａは、前記口部１内に嵌挿され、前記係止部８は前記口部１の開口上縁に被嵌装着されることを特徴とする容器に係るものである。
【発明の効果】
【００１４】
本発明は上述のように構成したから、キャップを開けるという簡単な操作でこのキャップに収納された物を容器本体内に入れることができ、しかも、この物を容器本体内に入れる為の作動が確実に実現されることになるなど、極めて商品価値の高い画期的な容器となる。
【図面の簡単な説明】
【００１５】
【図１】本実施例を示す正面図である。
【図２】本実施例に係る要部を説明する断面図である。
【図３】本実施例に係る要部の分解斜視図である。
【図４】本実施例に係る要部を説明する断面図である。
【図５】本実施例に係る要部の動作説明図である。
【図６】本実施例に係る要部の動作説明図である。
【図７】本実施例に係る要部の動作説明図である。
【図８】本実施例の使用状態説明図である。
【発明を実施するための形態】
【００１６】
好適と考える本発明の実施形態を、図面に基づいて本発明の作用を示して簡単に説明する。
【００１７】
例えば口部１に装着されたキャップ本体４を外し方向へ移動させると、内体５は口部１に残された状態（装着状態）のままキャップ本体４だけが外れ方向に移動し（内体５に対してキャップ本体４がスライド移動した状態となり）、閉塞部７により閉塞されている下端開口部６ａが開放されると、この下端開口部６ａから物Ｘが容器本体２内に入る。この状態で例えば容器本体２を振って該容器本体２内の水と物Ｘとを混ぜる。この物Ｘが例えばお茶の粉末であればお茶ができることになる。
【００１８】
従って、キャップ本体４を外す方向へ移動させる操作を行うだけで下端開口部６ａが開放され、このキャップ３に収納された物Ｘを簡単に容器本体２内に入れることができる。
【００１９】
ところで、本発明は、内体５には、口部１に形成された被係止部９と係止する係止部８が設けられ、口部１に装着されたキャップ本体４の外し方向への移動の際、係止部８及び被係止部９の係止作用により、キャップ本体４とともに内体５が外し方向へ移動することが阻止されるように構成されている。
【００２０】
これは、例えばキャップ本体４を外し方向へ移動させる際に内体５も口部１から外れてしまうのを防止するためであり、キャップ本体４の移動とともに内体５も移動すると下端開口部６ａを開放することができない。仮に、この内体５の移動を阻止する構造として、口部１に装着される内体５の口部１との摩擦抵抗で行う構造とした場合、この部材同士の摩擦抵抗だけに頼る構造の為、極めて高精度な成形が要求され、よって、実際の製造においては不良品が多く発生してしまう。
【００２１】
そこで、本発明は、前述した係止部８及び被係止部９を具備することで、確実に内体５の移動を阻止することができ、前述した物Ｘを容器本体２内に入れる為の作動が確実に実現されることになる。
【実施例】
【００２２】
本発明の具体的な一実施例について図面に基づいて説明する。
【００２３】
本実施例は、口部１を有する容器本体２と、この容器本体２の口部１に装着されるキャップ３とから成るものである。尚、本実施例では、キャップ３に収納する物Ｘをお茶の粉末とし、容器本体２に水を入れてこの双方を混ぜることで飲料を作るものであるが、飲料に限らず化粧品や塗料でも良いなど、容器本体２に入れた液体に混ぜて作るものであれば良く、本実施例の特性を発揮するものであれば適宜採用し得るものである。
【００２４】
具体的には、容器本体２は、図１，２に図示したように適宜な合成樹脂製の部材で形成した縦長ボトル形状体（所謂ペットボトル）であり、上部に飲み口としての口部１が設けられ、この口部１の外周面には後述するキャップ本体４が螺合する螺旋凸条１ａが形成されている。尚、口部１に対するキャップ本体４の装着構造は螺子構造に限らず引き抜き自在な押し込み装着構造でも良い。
【００２５】
また、口部１は、螺旋凸条１ａの上方位置に後述する内体５に設けられる係止部８が係止する被係止部９（係止凹溝）が形成されている。
【００２６】
符号２ａは容器本体２の補強のための凹条部である。
【００２７】
キャップ３は、口部１に被嵌状態で装着するキャップ本体４と、このキャップ本体４内に相対スライド移動自在に配設され且つ口部１に装着される内体５とで構成されている。
【００２８】
キャップ本体４は、図３，４に図示したように適宜な合成樹脂製の部材で形成した有天筒状体であり、側壁部４ｂの内周面には口部１の螺旋凸条１ａと螺合する螺旋凸条４ｃが形成され、キャップ本体４は、口部１に対して着脱自在に螺着することになる。
【００２９】
また、このキャップ本体４の内部にして天壁部４ａの内面中央位置には筒状の収納部６が突出形成されている。
【００３０】
この収納部６は、粉末状，液状若しくは固形状の物Ｘを収納する部位であり、下端部に開口部６ａを有する。
【００３１】
また、収納部６の内底部の角部はＲ形状に形成されており、物Ｘが粉の場合には、この部分で粉が固まらず良好に落ちることになる。この点は実験により確認済み。
【００３２】
符号３ａは滑り止め部である。
【００３３】
内体５は、図３，４に図示したように適宜な合成樹脂製の部材で形成した有底筒状体であり、胴部５Ａは、容器本体２の口部１内に嵌挿でき、且つ、キャップ本体４内に配され収納部６に被嵌し得る径に設定されている。
【００３４】
また、内体５は、キャップ本体４内に配する際、胴部５Ａに設けた後述する係止部８がキャップ本体４の螺旋凸条４ｃを乗り越えるようにして圧入挿入され、螺旋凸条４ｃを乗り越えた位置（螺旋凸条４ｃの終端位置）で抜け止め係止状態となり、また、係止部８は螺旋凸条４ｃが形成されていない範囲（螺旋凸条４ｃの終端位置からキャップ本体４の天壁部４ａまでの位置）においてスライド自在となる。
【００３５】
従って、内体５は、螺旋凸条４ｃの終端位置からキャップ本体４の天壁部４ａまでの範囲でキャップ本体４に対して相対スライド移動自在となる。
【００３６】
また、内体５の底部内面は円錐状に突出形成されており、この円錐状部は、内体５を収納部６に被嵌した際、収納部６に圧入嵌合させて下端開口部６ａを閉塞する閉塞部７として構成されている。
【００３７】
従って、収納部６は閉塞部７により閉塞されて密閉状態となる。
【００３８】
この収納部６に物Ｘを詰める場合には、キャップ本体４を逆さ状態として下端開口部６ａから物Ｘを詰め、この状態で内体５をキャップ本体４内に配して収納部６の下端開口部６ａを閉塞部７で閉塞する。
【００３９】
また、内体５の下方位置にして胴部５Ａの周囲には窓部５ａが形成されており、収納部６に対する閉塞部７の嵌合状態を解除して下端開口部６ａを開口状態とした際、この窓部５ａにより収納部６の内空間と内体５の外空間とを連通状態となる。
【００４０】
従って、キャップ本体４に対して内体５をスライド移動させた際、閉塞部７により閉塞されている収納部６が開放され、収納部６に詰入した物Ｘが外部に排出されることになる。
【００４１】
また、内体５には口部１に設けた被係止部９（係止凹溝）に係止する係止部８が設けられている。
【００４２】
この係止部８は、胴部５Ａの上部開口部を外側に折り返し状態に設けた形状であり、具体的には、水平方向に突出する鍔状部８ａと、この鍔状部８ａの先端に垂設する垂設部８ｂとから成り、この係止部８は、口部１に内体５を嵌挿させた際、口部１の上部開口部に被嵌するように構成されている。
【００４３】
また、この係止部８は、垂設部８ｂの内面に凸状部８ｃが設けられており、口部１の上部開口部に被嵌装着した際、この凸状部８ｃが口部１に設けた被係止部９（係止凹溝）に係止するように構成されている。
【００４４】
従って、口部１に装着されたキャップ本体４の外し方向への初期移動の際、係止部８及び被係止部９の係止作用により、キャップ本体４とともに内体５が外し方向へ移動することが阻止される。
【００４５】
本実施例では、口部１に装着されたキャップ本体４を外し方向へ移動させた際、初期移動以降において、被係止部９と係止部８との係止作用が解除されるように構成されている。
【００４６】
具体的には、本実施例は、口部１に装着されたキャップ本体４を外し方向へ移動（螺動）させた際、キャップ本体４に対して内体５がスライド移動する範囲（螺旋凸条４ｃの終端位置からキャップ本体４の天壁部４ａまでの位置）内を口部１に対してキャップ本体４が外れ方向に移動（螺動）している間は、係止部８が被係止部９から係脱しない係止力に設定されており、よって、被係止部９と係止部８との係止作用の解除は、キャップ本体４の螺旋凸条４ｃが係止部８と係止し、外し方向に内体５が引動されることで行われる。
【００４７】
つまり、係止部８と被係止部９の係止力は、螺旋凸条４ｃに対する係止部８の抜け止め係止力よりも弱く設定されており、よって、キャップ本体４を外し方向へ螺動させて螺旋凸条４ｃに対して係止部８が抜け止め係止した後もキャップ本体４を更に外し方向へ螺動させた際には、係止部８は被係止部９から係脱して内体５は口部１から外れ、キャップ本体４とともに口部１から完全に取り外し状態となる。
【００４８】
尚、係止部８を凹状とし、被係止部９を凸状としても良い。
【００４９】
符号４ｄは容器本体２からキャップ３を外したことの指標となるリングであり、１ｂはリング４ｄが係止する係止凹溝である。
【００５０】
また、図８に図示したように容器本体２の口部１にしてキャップ３が装着される部位には、吸い口体10に設けた吸い口体キャップ11を螺着装着しても良い。尚、図８では、吸い口体10として合成樹脂製のストローを採用しているが、乳児にミルクを与えるための人工乳首でも良い。また、キャップ３を装着する部位と吸い口体キャップ11を装着する部位を別途、具体的にはキャップ３を装着する部位の先端側に吸い口体キャップ11を装着する部位を設けても良い。
【００５１】
以上の構成から成る本実施例に係る容器における飲料の作り方について説明する。
【００５２】
例えば口部１に装着されたキャップ本体４を外し方向へ螺動させる。具体的には、キャップ本体４の螺旋凸条４ｃの終端位置が内体５係止部８に係止する位置までキャップ本体４を螺動させると、内体５は口部１に残された状態（装着状態）のままキャップ本体４だけが上方へ移動し（これが初期移動である。）、この際、キャップ本体４に対して内体５がスライド移動した状態となり、閉塞部７により閉塞されている下端開口部６ａが開放され、この下端開口部６ａから物Ｘが容器本体２内の水に落下する（図５，６参照）。
【００５３】
この状態で例えば容器本体２を振って該容器本体２内の水と物Ｘとを混ぜる。この物Ｘが例えばお茶の粉末であれば飲料となる。
【００５４】
その後、更にキャップ本体４を螺動させて口部１から外した際、係止部８に対する螺旋凸条４ｃの係止力が被係止部９に対する係止部８の係止力に勝り、内体５は口部１から係脱してキャップ本体４と一緒に口部１から外れる（図７参照）。
【００５５】
本実施例は上述のように構成したから、キャップ３を開けるという簡単な操作でこのキャップ３に詰入された物Ｘを容器本体２内に入れることができ、しかも、この物Ｘを容器本体２内に入れる為の作動が確実に実現されることになる。
【００５６】
また、本実施例は、口部１に装着されたキャップ本体４を外し方向へ移動させた際、初期移動以降においては、係止作用が解除されるように構成されているから、より一層、物Ｘを容器本体２内に入れるようにする為の作動が確実に実現されることになる。
【００５７】
また、本実施例は、キャップ本体４は口部１に被嵌され、内部に前記口部１に螺着するための螺旋凸条４ｃが設けられており、被係止部９と係止部８との係止作用の解除は、キャップ本体４の螺旋凸条４ｃが係止部８と係止し、外し方向に内体５が引動されることで行われるから、キャップ本体４を取り外すと同時に内体５の取り外しも実施されることになり、極めて操作性が良いことになる。
【００５８】
また、本実施例は、内体５は胴部５Ａと該胴部５Ａ上縁に設けられた係止部８とで構成され、胴部５Ａは、口部１内に嵌挿され、係止部８は口部１の開口上縁に被嵌装着されるから、簡易構造で前述した作用効果が確実に得られることになる。
【００５９】
尚、本発明は、本実施例に限られるものではなく、各構成要件の具体的構成は適宜設計し得るものである。
【符号の説明】
【００６０】
Ｘ  物
１  口部
２  容器本体
３  キャップ
４  キャップ本体
４ｂ 側壁部
４ｃ  螺旋凸条
５  内体
５Ａ  胴部
６  収納部
６ａ  下端開口部
７  閉塞部
８  係止部
９  被係止部
【図１】
0005671381.tif 000002
【図２】
0005671381.tif 000003
【図３】
0005671381.tif 000004
【図４】
0005671381.tif 000005
【図５】
0005671381.tif 000006
【図６】
0005671381.tif 000007
【図７】
0005671381.tif 000008
【図８】
0005671381.tif 000009